(57)【特許請求の範囲】
【請求項１】
回路遮断装置（１２）のためのトリップ装置（１０）であって、
回路遮断装置（１２）に動作可能に接続可能なコイル（２２）であって、前記回路遮断装置（１２）を選択的に動作させて、前記回路遮断装置（１２）を流れる電流がしきい値を超えた場合に前記電流を遮断するように構成されたコイル（２２）と、
前記コイル（２２）に流れるコイル電流を選択的に測定して、測定されたコイル電流信号（２６）を決定するように構成された電流測定装置（２４）と、
前記測定されたコイル電流信号（２６）の導関数（３０）を決定し、前記測定されたコイル電流信号（２６）の前記導関数（３０）と基準コイル電流信号（４４）の基準導関数（４２）との相関を実行して、相関出力を決定するように構成された監視装置（２８）であって、前記相関出力を基準相関しきい値と比較して、前記コイル（２２）の動作状態が正常であるか異常であるかを決定するように構成された監視装置（２８）と、を含み、
前記監視装置（２８）は、前記測定されたコイル電流信号（２６）の導関数（３０）と前記基準コイル電流信号（４４）の前記基準導関数（４２）との相関を、
（ａ）サンプルに基づく位相比較と、
（ｂ）コイル電流信号をフーリエ変換して位相比較することと、
の１つまたは複数を使用して実行するように構成される、トリップ装置（１０）。
【請求項２】
前記基準コイル電流信号（４４）の前記基準導関数（４２）は、前記回路遮断装置（１２）の試運転中に確立される、請求項１に記載のトリップ装置（１０）。
【請求項３】
前記監視装置（２８）は、前記測定されたコイル電流信号（２６）の前記導関数（３０）と前記基準コイル電流信号（４４）の前記基準導関数（４２）との相関を実行する前に、前記測定されたコイル電流信号（２６）の前記導関数（３０）をフィルタリングするようにさらに構成される、請求項１または２に記載のトリップ装置（１０）。
【請求項４】
前記監視装置（２８）は、所定のウィンドウサイズで平均化を実行することによって、前記測定されたコイル電流信号（２６）の前記導関数（３０）をフィルタリングするように構成される、請求項３に記載のトリップ装置（１０）。
【請求項５】
前記監視装置（２８）は、前記測定されたコイル電流信号（２６）の前記導関数（３０）と前記基準コイル電流信号（４４）の前記基準導関数（４２）との相関を実行する前に、前記測定されたコイル電流信号（２６）の前記導関数（３０）の量子化を実行するようにさらに構成される、請求項１乃至４のいずれか１項に記載のトリップ装置（１０）。
【請求項６】
前記監視装置（２８）は、第１の量子化しきい値より上の各信号値を１に設定し、第２の量子化しきい値より下の各信号値を−１に設定し、残りの各信号値をゼロに設定することによって、前記測定されたコイル電流信号（２６）の前記導関数（３０）の量子化を実行するように構成される、請求項５に記載のトリップ装置（１０）。
【請求項７】
前記監視装置（２８）は、前記測定されたコイル電流信号（２６）の前記量子化された導関数（３０）から第１の非ゼロ値の前のすべての信号データを破棄するようにさらに構成される、請求項６に記載のトリップ装置（１０）。
【請求項８】
請求項１乃至７のいずれか１項に記載のトリップ装置（１０）を含む回路遮断装置（１２）。
【請求項９】
回路遮断装置（１２）のためのトリップ装置（１０）におけるコイル（２２）の動作状態を判定するための方法であって、
（ａ）前記コイル（２２）に流れるコイル電流を測定し、測定されたコイル電流信号（２６）を決定するステップと、
（ｂ）前記測定されたコイル電流信号（２６）の導関数（３０）を決定するステップと、
（ｃ）相関出力を決定するために、前記測定されたコイル電流信号（２６）の前記導関数（３０）と基準コイル電流信号（４４）の基準導関数（４２）との相関を実行するステップと、
（ｄ）前記相関出力を基準相関しきい値と比較して、前記コイル（２２）の前記動作状態が正常であるか異常であるかを判定するステップと、を含み、
前記測定されたコイル電流信号（２６）の導関数（３０）と前記基準コイル電流信号（４４）の前記基準導関数（４２）との相関が、
（ａ）サンプルに基づく位相比較と、
（ｂ）コイル電流信号をフーリエ変換して位相比較することと、
の１つまたは複数を使用して実行される、方法。
【発明の詳細な説明】
【技術分野】
【０００１】
本発明は、回路遮断装置のためのトリップ装置、そのようなトリップ装置を含む回路遮断装置、およびこのようなトリップ装置におけるコイルの動作状態を判定する方法に関する。
【背景技術】
【０００２】
重要なクリアランス時間内に障害を取り除くためには、例えば高電圧送電ネットワークにおける回路遮断器などの回路遮断装置の高速かつ反復可能な動作が不可欠である。したがって、回路遮断装置の正しい動作をテストして、必要なときに前記高速かつ反復可能な動作を保証することが望ましい。
【先行技術文献】
【特許文献】
【０００３】
【特許文献１】国際公開第２００８／０００１０５号パンフレット
【発明の概要】
【０００４】
本発明の第１の態様によれば、回路遮断装置のためのトリップ装置が提供され、トリップ装置は、
回路遮断装置に動作可能に接続可能なコイルであって、回路遮断装置を選択的に動作させて、電流がしきい値を超えた場合に回路遮断装置を流れる電流を遮断するように構成されたコイルと、
コイルに流れるコイル電流を選択的に測定して、測定されたコイル電流信号を決定するように構成された電流測定装置と、
測定されたコイル電流信号の導関数を決定し、測定されたコイル電流信号の導関数と基準コイル電流信号の基準導関数との相関を実行して、相関出力を決定するように構成された監視装置であって、相関出力を基準相関しきい値と比較して、コイルの動作状態が正常であるか異常であるかを決定するように構成された監視装置と、を含む。測定されたコイル電流信号を決定するためにコイルを流れるコイル電流を選択的に測定するように構成された電流測定装置を設けることにより、コイルおよび回路遮断装置の継続動作中に、コイルと、したがって関連する回路遮断装置と、を監視することができる。これにより、回路遮断装置の動作を試験するために回路遮断装置を取り外す必要がなくなり、同様に、回路遮断装置の関連する遅延および計画された停止による不都合および混乱を回避することができる。
【０００５】
一方、相関出力を決定するために、測定されたコイル電流信号の導関数と基準コイル電流信号の基準導関数との相関を実行し、その後、相関出力を基準相関しきい値と比較して、コイルの動作状態が正常であるか異常であるか判定するように構成された、監視装置を含めることによって、コイルの正確な動作を比較しなければならないコイル電流シグネチャを確立するために複雑なクラスタリング技術を使用するデータ集約的解析を必要とせず、あるいは、測定されたコイル電流信号のパターンを解析するための実行が困難で計算が複雑なインテリジェントなアルゴリズムを使用する必要がなく、コイルの動作状態、したがって関連する回路遮断装置の動作状態の準備および信頼できる表示を可能にする。
【０００６】
結果として、本発明のトリップ装置は、回路全体の遮断事象を通して、すなわち回路全体のトリップ処理を通して利用することができ、それにより完全な回路遮断装置の監視を提供することができる。
【０００７】
さらに、本発明のトリップ装置は、それぞれ異なる回路遮断装置が異なる動作特性を有する、異なる製造業者からの異なる回路遮断装置の範囲で容易に使用することができる。
【０００８】
好ましくは、監視装置は、測定されたコイル電流信号の導関数と基準コイル電流信号の基準導関数との相関を、
（ａ）サンプルに基づく位相比較と、
（ｂ）フーリエに基づく位相比較と、
（ｃ）振幅に基づく位相比較と、の１つまたは複数を使用して実行するように構成される。
【０００９】
前述の比較タイプの各々は、コイルの正常動作状態または異常動作状態を決定するために、基準相関しきい値とのその後の比較のための適切な相関出力を簡単かつ確実に確立することができる。
【００１０】
サンプルに基づく位相比較は、複雑な波形である非正弦波信号に適しており、フーリエに基づく位相比較は、正弦波信号に適している。振幅に基づく比較は、サンプリング方法またはフーリエ技術のいずれかを用いて容易に実施することができる。任意選択的に、監視装置は、測定されたコイル電流信号の導関数と基準コイル電流信号の基準導関数との相関を実行する前に、測定されたコイル電流信号の導関数をフィルタリングするようにさらに構成される。
【００１１】
測定されたコイル電流信号の導関数をフィルタリングすることは、監視装置がコイルの正しい動作状態、すなわちコイルが正常に動作しているか異常に動作しているかを判定することができる精度および再現性を向上させるのに役立つ。
【００１２】
本発明の好ましい実施形態では、監視装置は、所定のウィンドウサイズで平均化を実行することによって、測定されたコイル電流信号の前記導関数をフィルタリングするように構成される。
【００１３】
所定のウィンドウサイズで平均化することによって、トリップ装置が静止状態にあるときに生成される残りの情報を無視することを可能にしながら、例えば回路遮断事象に続く必要な情報のみを取り込むことが望ましい。
【００１４】
監視装置は、測定されたコイル電流信号の導関数と基準コイル電流信号の基準導関数との相関を実行する前に、測定されたコイル電流信号の導関数の量子化を行うようにさらに構成されてもよい。
【００１５】
測定されたコイル電流信号の導関数の量子化を実行することは、監視装置がコイルの正しい動作状態、すなわち、コイルが正常に動作しているか異常に動作しているかを判定することができる精度および再現性を向上させるのにさらに役立つ。
【００１６】
任意選択的に、監視装置は、第１の量子化しきい値より上の各信号値を１に設定し、第２の量子化しきい値より下の各信号値を−１に設定し、残りの各信号値をゼロに設定することによって、測定されたコイル電流信号の導関数の量子化を実行するように構成される。
【００１７】
このような監視装置の構成は、望ましい程度の量子化を提供し、第１および第２の量子化しきい値の利用によって、トリップ装置が動作しようとする回路遮断装置の動作特性にしたがって量子化の調整が可能になる。
【００１８】
好ましくは、監視装置は、測定されたコイル電流信号の量子化された導関数から第１の非ゼロ値の前のすべての信号データを破棄するようにさらに構成される。
【００１９】
このような信号データの破棄は、監視装置がコイルの動作状態を誤って判定するのを防止するのに役立つ。さらに、それは背景ノイズを除去するのに役立つ。
【００２０】
本発明の第２の態様によれば、上記のトリップ装置を含む回路遮断装置が提供される。
【００２１】
回路遮断装置は、トリップ装置の対応する特徴の利点を共有する。
【００２２】
本発明の第３の態様によれば、回路遮断装置のためのトリップ装置におけるコイルの動作状態を判定するための方法が提供され、
本方法は、
（ａ）前記コイルに流れるコイル電流を測定し、測定されたコイル電流信号を決定するステップと、
（ｂ）前記測定されたコイル電流信号の導関数を決定するステップと、
（ｃ）相関出力を決定するために、前記測定されたコイル電流信号の前記導関数と基準コイル電流信号の基準導関数との相関を実行するステップと、
（ｄ）前記相関出力を基準相関しきい値と比較して、前記コイルの前記動作状態が正常であるか異常であるかを判定するステップと、を含む。
【００２３】
本発明のこのような方法は、同様に、データ集約的な解析や実行が困難なインテリジェントなアルゴリズムの使用を必要とせずに、コイルおよび関連する回路遮断装置の連続動作中にコイルの監視、ならびにコイルおよび関連する回路遮断装置の動作状態の準備ができて信頼できる指示を提供することができる。
【００２４】
したがって、本発明の方法は、完全な回路遮断装置の監視を提供するために、回路遮断イベント全体にわたって同様に利用することができ、異なる動作特性を有する異なる回路遮断装置と共に使用するのに適している。
【００２５】
次に、以下の図面を参照して、本発明の好ましい実施形態の簡単な説明を非限定的な例として説明する。
【図面の簡単な説明】
【００２６】
【図１】本発明の第１の実施形態によるトリップ装置の概略図である。
【図２（ａ）】図１に示すトリップ装置の一部を形成する電流測定装置によって決定される測定されたコイル電流信号を示す図である。
【図２（ｂ）】図１に示すトリップ装置のさらなる部分を形成する監視装置によって決定される、図２（ａ）に示す測定されたコイル電流信号の導関数を示す図である。
【図２（ｃ）】図２（ｂ）に示す測定されたコイル電流信号の導関数をフィルタリングした結果を示す図である。
【図２（ｄ）】図２（ｃ）に示す測定されたコイル電流信号のフィルタリングされた導関数の量子化を実行した結果を示す図である。
【図３】図１に示すトリップ装置におけるコイルの動作状態を決定する方法における様々なステップを示す図である。
【発明を実施するための形態】
【００２７】
本発明の第１の実施形態によるトリップ装置は、符号１０によって全体的に示されている。
【００２８】
トリップ装置１０は、図示する実施形態では、第１および第２の遮断器接点１６、１８を有する回路遮断器１４である回路遮断装置１２の一部を形成する。しかしながら、他のタイプの回路遮断装置ならびに異なる構成を有する回路遮断器も可能である。いずれにしても、回路遮断装置は、送電ネットワーク２０内にある。
【００２９】
トリップ装置１０は、使用中、回路遮断装置１２に動作可能に接続されたコイル２２を含む。コイル２２は、回路遮断装置１２を選択的に動作させて、電流がしきい値を超えた場合に回路遮断装置１２を流れる電流（図示せず）を遮断するように構成される。
【００３０】
トリップ装置１０はまた、コイル２２を流れるコイル電流Ｉｔを選択的に測定するように構成された電流測定装置２４を含む。電流測定装置２４は、回路遮断装置１２が回路遮断器である実施形態では、完全な回路遮断事象を通して、すなわちトリップ過程全体を通して、コイル電流Ｉｔを測定するように構成されている。
【００３１】
電流測定装置２４はさらに、例えば図２（ａ）に示すように、測定されたコイル電流信号２６を決定するために前記コイル電流Ｉｔを測定するように構成されている。
【００３２】
上記に加えて、トリップ装置１０は、監視装置２８も含む。
【００３３】
監視装置２８は、例えば、図２（ｂ）に示すように、測定されたコイル電流信号２６の導関数３０を決定するように構成される。
【００３４】
例えば、測定されたコイル電流信号２６が
ｇ（ｎ）
の形をとる場合には、監視装置２８は、
【００３５】
【数１】
0006740227.tif 000002
を決定する。
【００３６】
次に、監視装置２８は、測定されたコイル電流信号２６の導関数３０と、例えば（図３に示すように）形式
ｆ（ｎ）
をとる基準コイル電流信号４４の基準導関数４２と、の相関を実行するように構成され、その基準導関数４２は（図３に示すように）
【００３７】
【数２】
0006740227.tif 000003
で与えられる。
【００３８】
基準コイル電流信号４４は、好ましくは、回路遮断装置１２の性質および種類ならびにその期待される動作特性にしたがってその特性が選択されるように、回路遮断装置１２の試運転中に確立される。同様に、基準コイル電流信号の基準導関数４２は、好ましくは、電流遮断装置１２の試運転中に同様に確立される。
【００３９】
監視装置２８は、相関出力を決定するために、測定されたコイル電流信号２６の導関数３０と基準コイル電流信号４４の基準導関数４２との相関を実行する。
【００４０】
特に、上記の例示的な導関数３０および基準導関数４２に関して、相関出力は、以下の形式の一般的な相関式によって与えられる。
【００４１】
【数３】
0006740227.tif 000004
本発明の他の実施形態（図示せず）では、監視装置２８は、測定されたコイル電流信号２６の導関数３０と基準コイル信号の基準導関数４２との相関を、
（ａ）サンプルに基づく位相比較と、
（ｂ）フーリエに基づく位相比較と、
（ｃ）振幅に基づく位相比較と、の１つまたは複数を使用して実行するように構成することができる。
【００４２】
サンプルに基づく位相比較を使用する場合には、測定されたコイル電流信号２６は、形式
ｆ（ｎ）
を再びとり、および基準コイル電流信号４４は形式
ｇ（ｎ）
を再びとって、監視装置２８によって決定された相関出力は、形式
｜｜ｆ（ｎ）＋ｇ（ｎ）｜｜
および
｜｜ｆ（ｎ）−ｇ（ｎ）｜｜
をとる。
【００４３】
フーリエに基づく位相比較を使用する場合には、測定されたコイル電流信号２６の導関数３０および基準コイル電流信号４４の基準導関数４２の各々フェーザーが最初に得られ、その後、監視装置２８によって決定された相関出力は、形式
Ａｒｇ（Ｆ／Ｇ）
をとり、ここで、Ｆは形式ｆ（ｎ）の基準コイル電流信号４４のフーリエ変換であり、Ｇは形式ｇ（ｎ）の測定されたコイル電流信号２６のフーリエ変換である。
【００４４】
いずれにしても、監視装置２８は、測定されたコイル電流信号２６の導関数３０と基準コイル電流信号４４の基準導関数４２との前述の相関を実行する前に、測定されたコイル電流信号２６の導関数３０をさらにフィルタリングするように構成される。より具体的には、監視装置２８は、所定のウィンドウサイズで平均化を実行することによって、導関数３０をフィルタリングするように構成され、所定のウィンドウサイズは、図示する実施形態では３であるが、本発明の他の実施形態ではウィンドウサイズは３から変化してもよい。
【００４５】
測定されたコイル電流信号２６の導関数３０のそのようなフィルタリング、すなわち平均化によって、図２（ｃ）に示すフィルタリングされた波形３２が生じる。
【００４６】
監視装置２８は、導関数３０と基準導関数４２との前述の相関を実行する前に、測定されたコイル電流信号２６のフィルタリングされた導関数３０の量子化を行うようにさらに構成されている。
【００４７】
図示する実施形態では、監視装置２８は、第１の量子化しきい値より上の各信号値を１に設定し、第２の量子化しきい値より下の各信号値を−１に設定し、残りの各信号値をゼロに設定することによって、フィルタリングされた導関数３０のそのような量子化を実行する。より詳細には、図示する実施形態を参照すると、第１の量子化しきい値は０．０２に設定され、第２の量子化しきい値は−０．０２に設定される。第１および第２の量子化しきい値の各々は、好ましくは、回路遮断装置１２の性質および種類ならびにその期待される動作特性にしたがってその値が選択されるように、回路遮断装置１２の試運転中に確立される。
【００４８】
一例として、測定されたコイル電流信号２６の導関数３０から得られたフィルタリングされた波形３２のこのような量子化によって、図２（ｄ）に示す量子化された波形３４が生じる。
【００４９】
監視装置２８はさらに、測定されたコイル信号２６のフィルタリングされた量子化された導関数３０から第１の非ゼロ値の前のすべての信号データを破棄する、すなわち、図２（ｄ）に示す量子化された波形３４の量子化された信号の第１の非ゼロ値の前のすべての信号データを破棄するようにさらに構成される。
【００５０】
図示する実施形態に関して、すなわち、監視装置２８が測定されたコイル電流信号２６の導関数３０からのデータをフィルタリングし、量子化し、破棄するように構成されている場合には、基準コイル電流信号４４の基準導関数４２が、好ましくは関連する回路遮断装置１２の試運転中に同じ方法で、フィルタリングされ、量子化され、データが破棄される。
【００５１】
このようにして、基準導関数４２は、同様に、測定されたコイル電流信号２６のフィルタリングされ、量子化され、クリーンアップされた導関数３０と相関する前に、フィルタリングされ、量子化され、クリーンアップされる。
【００５２】
本発明の他の実施形態（図示せず）では、基準導関数は、例えば関連する回路遮断装置の試運転中に、フィルタリング、量子化および／またはクリーンアップのうちの１つまたは複数のみであってもよく、これらの動作の１つまたは複数にしたがって、トリップ装置１０の動作中に測定されたコイル電流信号２６の導関数３０に関して監視装置２８によって実行されたものである。
【００５３】
監視装置２８は、相関出力を決定するために、測定されたコイル電流信号２６の導関数３０と基準コイル電流信号４４の基準導関数４２との相関に続いて、相関出力を基準相関しきい値と比較するように構成される。
【００５４】
上述の第１の実施形態では、すなわち、監視装置２８が、
【００５５】
【数４】
0006740227.tif 000005
にしたがって相関出力を決定するように構成されている場合には、相関出力は単一の相関出力値の形をとる。
【００５６】
さらに、第１の実施形態では、第１の基準相関しきい値Ｒｔｈｒｅｓは、０．１のインクリメントで設定可能な特定の値の形式をとるが、本発明の他の実施形態では、代わりに範囲の形式をとってもよい。いずれの場合においても、第１の基準相関しきい値Ｒｔｈｒｅｓは、好ましくは、回路遮断装置１２の性質およびタイプならびにその期待される動作特性にしたがって、関連する回路遮断装置１２の試運転中に再び確立される。一例として、１つの可能な第１の基準相関しきい値Ｒｔｈｒｅｓは０．４である。
【００５７】
相関出力値が第１の基準相関しきい値Ｒｔｈｒｅｓ以上である場合、すなわち、０．４以上である場合（あるいは、相関出力値が第１の基準相関しきい値によって規定される範囲内にある場合）には、監視装置２８は、コイル２２が正常に動作していると判定する。
【００５８】
対照的に、相関出力値が第１の基準相関しきい値Ｒｔｈｒｅｓ未満である場合、すなわち、０．４未満である場合（あるいは、相関出力値が第１の基準相関しきい値によって規定される範囲外にある場合）には、監視装置２８は、トリップコイル２２が異常に動作していると判定する。
【００５９】
上述の第２の実施形態では、すなわち、監視装置２８が、サンプルに基づく位相比較を使用して相関出力を決定するように構成されている場合には、相関出力は、
｜｜ｆ（ｎ）＋ｇ（ｎ）｜｜
および
｜｜ｆ（ｎ）−ｇ（ｎ）｜｜
の形式をとり、第２の基準相関しきい値Ｋは、コイル２２が正常に動作しているか否かを判定するために以下のように用いられる。すなわち、
｜｜ｆ（ｎ）＋ｇ（ｎ）｜｜＞Ｋ＊｜｜ｆ（ｎ）−ｇ（ｎ）｜｜
ここで
【００６０】
【数５】
0006740227.tif 000006
であり、Ｒｔｈｒｅｓが０．４に設定されている上記の例では、Ｋの対応する値は１．５３である。
【００６１】
上述した第３の実施形態では、監視装置２８が、フーリエに基づく位相比較を使用して相関出力を決定するように構成され、相関出力は
Ａｒｇ（Ｆ／Ｇ）
の形式をとり、第１および第２の角度限界Ａ、Ｂの形式の第３の基準相関しきい値は、コイル２２が正常に動作しているか否かを決定するために、以下のように利用され、
Ｂ＜Ａｒｇ（Ｆ／Ｇ）＜Ａ
ここで
Ａは、ａｒｃｃｏｓ（Ｒｔｈｒｅｓ）であって、例えば上記の例示的なＲｔｈｒｅｓを用いてａｒｃｃｏｓ（０．４）であり、
Ｂは、−ａｒｃｃｏｓ（Ｒｔｈｒｅｓ）であって、例えば上記の例示的なＲｔｈｒｅｓを用いて−ａｒｃｃｏｓ（０．４）である。
【００６２】
監視装置２８が、振幅に基づく位相比較を使用して相関値を決定するように構成されている場合には、第３の基準相関しきい値との上記のフーリエに基づく比較、すなわち第１および第２の角度限界Ａ、Ｂを振幅に基づく比較に変換することができ、すなわち、
Ｂ＜Ａｒｇ（Ｆ／Ｇ）＜Ａ
は、以下のように実現される。
【００６３】
ｉｍａｇ（Ｆ＊ｃｏｎｊ（Ｇ）ｅｘｐ（−ｊ＊Ａ））＜０ＡＮＤ（ＯＲ）ｉｍａｇ（Ｆ＊ｃｏｎｊ（Ｇ）＊ｅｘｐ（−ｊＢ））＞０
コイル２２の動作状態が異常であると判定された場合には、監視装置２８は、好ましくは、例えば視覚信号および／または可聴信号の形態でアラームを発生させるが、それは、コイル２２の異常な動作状態は、コイル２２が配置されている回路遮断装置１２が関連する送電ネットワーク２０内の障害をクリアするために正しく動作することができないことを示しているからである。
【００６４】
上記に加えて、監視装置２８は、相関出力が所定の相関基準を満たすかどうかをチェックし、そうでない場合には同様にアラームを発生させるように構成することもできる。このような特徴は、回路遮断装置１２が必要なときに正しく動作することを保証する上でさらなる保護を提供する。
【００６５】
使用に際して、トリップ装置１０は、回路遮断装置１２がその一部を形成する動作能力を継続的に監視し、トリップ装置１０内のコイル２２の異常動作状態で示されるように、回路遮断装置１２の障害が生じた場合に警報を発生させることができる。トリップ装置は、回路遮断装置１２内の遮断器接点１６、１８の位置を知る必要がなく、監視を開始するためのトリップコマンドを必要とせずに、かつ、回路遮断装置１２を送電ネットワーク２０から分離することによって前記ネットワーク２０を介して送電を遮断する必要がなく、前述の機能のすべてを提供する。
【００６６】
したがって、トリップ装置１０は、図３に概略的に示すステップを含む、コイル２２の動作状態を決定する方法を実行するように構成される。
【００６７】
より具体的には、この方法は、（ａ）コイル２２を流れるコイル電流Ｉｔを測定し、その後、測定されたコイル電流信号２６を決定するステップを含み、トリップ装置１０の電流測定装置２４がこのようなステップを実行する。
【００６８】
この方法は、
測定されたコイル電流信号２６の導関数３０を決定するステップ（ｂ）と、
相関出力を決定するために、測定されたコイル電流信号２６の導関数３０と基準コイル電流信号４４の基準導関数４２との相関を実行するステップ（ｃ）と、
相関出力を基準相関しきい値と比較して、コイル２２の動作状態が正常か異常かを判定するステップ（ｄ）と、を含む。
【００６９】
前述の各ステップは、トリップ装置１０の監視装置２８によって実行される。
【００７０】
図３に示すように、相関を実行するステップ（ｃ）の前に、それぞれのフィルタリングステップ３６Ａ、量子化ステップ３８Ａ、およびデータ破棄ステップ４０Ａがある。
【００７１】
図３はまた、上述の相関を実行するステップ（ｃ）の前に、基準コイル電流信号４４の基準導関数４２に対して同一のフィルタリングステップ３６Ｂ、量子化ステップ３８Ｂ、およびデータ破棄ステップ４０Ｂが実行されることを示している。好ましくは、これらのステップは、基準コイル電流信号４４およびその基準導関数４２を決定するとともに、例えば関連する回路遮断装置１２の試運転中に別々に実行される。
【００７２】
さらに、図３にさらに示すように、相関出力を基準相関しきい値と比較してコイル２２の動作状態が正常であるか異常であるかを決定するステップ（ｄ）に続いて、この方法は、コイル２２の動作状態が異常である場合に実行されるアラーム発生ステップ４６を含む。あるいは、監視装置２８は、コイル２２の動作状態が正常であれば何もしない。
【符号の説明】
【００７３】
１０  トリップ装置
１２  回路遮断装置、電流遮断装置
１４  回路遮断器
１６  第１の遮断器接点
１８  第２の遮断器接点
２０  送電ネットワーク
２２  トリップコイル
２４  電流測定装置
２６  コイル電流信号
２８  監視装置
３０  導関数
３２  フィルタリングされた波形
３４  量子化された波形
３６Ａ  フィルタリングステップ
３６Ｂ  フィルタリングステップ
３８Ａ  量子化ステップ
３８Ｂ  量子化ステップ
４０Ａ  データ破棄ステップ
４０Ｂ  データ破棄ステップ
４２  基準導関数
４４  基準コイル電流信号
４６  アラーム発生ステップ
【図１】
0006740227.tif 000007
【図２（ａ）】
0006740227.tif 000008
【図２（ｂ）】
0006740227.tif 000009
【図２（ｃ）】
0006740227.tif 000010
【図２（ｄ）】
0006740227.tif 000011
【図３】
0006740227.tif 000012